(57)【特許請求の範囲】
【請求項１】
第１位置と第２位置との間に往復動可能に支持された可動役物を備え、遊技の進行状況に応じて前記可動役物の落下による演出を行う遊技機において、
前記可動役物を前記第１位置に保持する上部保持手段と、
前記可動役物を前記第２位置に保持する下部保持手段と、
正逆の任意の方向に回転し、正転することで、前記上部保持手段による前記可動役物の保持を解除して、前記可動役物を前記第１位置から前記第２位置まで落下させると共に前記下部保持手段に前記可動役物を保持させる一方、逆転することで、前記下部保持手段による前記可動役物の保持を解除して、前記可動役物を前記第２位置から前記第１位置まで持ち上げると共に前記上部保持手段に前記可動役物を保持させる駆動モータとを備えると共に、
遊技機に固定された固定ベースと、
前記固定ベースに対し、前記可動役物を前記第１位置と前記第２位置との間で直動するように支持する直動支持部材と、
前記固定ベースに回転可能に支持され、前記可動役物の前記第１位置と前記第２位置との間の直動に連動して第１回動位置と第２回動位置との間を回転する役物連動部材と、
前記駆動モータを正転させることで第１駆動位置から第２駆動位置へと移動し、前記駆動モータを逆転させることで前記第２駆動位置から前記第１駆動位置へと移動する少なくとも１つのモータ連動部材と、
前記モータ連動部材に設けられ、そのモータ連動部材が前記第２駆動位置寄りの位置から前記第１駆動位置寄りの位置まで移動する間に、前記役物連動部材を前記第２回動位置から前記第１回動位置まで押圧移動する持上動力伝達部とを備え、
前記モータ連動部材が前記第１駆動位置寄りの位置から前記第１駆動位置まで移動する間に前記上部保持手段が前記駆動モータの動力を受けて、前記第１位置まで持ち上げられた前記可動役物を前記第１位置に保持する一方、前記モータ連動部材が前記第２駆動位置寄りの位置から前記第２駆動位置まで回動する間に前記下部保持手段が前記駆動モータの動力を受けて前記可動役物を前記第２位置に保持するように構成したことを特徴とする遊技機。
【請求項２】
前記モータ連動部材には、そのモータ連動部材が前記第２駆動位置寄りの位置から前記第１駆動位置寄りの位置まで移動する間に、前記役物連動部材の第１部位に第１の回動方向から当接して前記役物連動部材を前記第２回動位置から前記第１回動位置まで押圧移動する前記持上動力伝達部と、
前記モータ連動部材が前記第２駆動位置寄りの位置から前記第２駆動位置に向かう間に、前記第２回動位置に位置する前記役物連動部材の第２部位に対し、前記第１の回動方向とは逆の第２の回動方向から当接して前記役物連動部材を前記第２回動位置に保持する下部規制動力伝達部とが備えられ、
前記下部規制動力伝達部と前記モータ連動部材とから前記下部保持手段が構成されたことを特徴とする請求項１に記載の遊技機。
【請求項３】
前記役物連動部材と前記可動役物とは、何れか一方に設けられた長孔と他方に設けられかつ前記長孔に係合したピンとで連動可能に連結され、
前記可動役物が前記第２位置の手前で落下が止まった場合に、前記下部規制動力伝達部で前記役物連動部材の前記第２部位を押圧して前記可動役物を前記第２位置まで移動することを特徴とする請求項２に記載の遊技機。
【請求項４】
前記第１回動位置の前記役物連動部材又は前記第１位置の前記可動役物の何れかに係合して前記可動役物を前記第１位置に保持する保持位置とその保持を解除する保持解除位置との間で往復動可能となるように前記固定ベースに支持された上部保持部材を含んだ上部保持機構と、
前記モータ連動部材と前記上部保持機構の一部品との一方に設けられた当接突部及び他方に設けられて前記当接突部を挟んで対向した第１及び第２の対向当接部と、
前記第１及び第２の対向当接部と前記当接突部との間に設けられた遊びスペースとを備え、
前記モータ連動部材が前記第１駆動位置寄りの位置から前記第１駆動位置に向かう途中で互いに前記当接突部と前記第１の対向当接部とが当接して、前記上部保持部材を前記保持解除位置から前記保持位置へと移動させるように前記駆動モータの動力を伝達する一方、前記モータ連動部材が前記第１駆動位置から前記第１駆動位置寄りの位置に向かうときに、前記当接突部が前記第１の対向当接部から離間して前記遊びスペースを移動し、前記第１駆動位置寄りの位置で、前記当接突部が前記第２の対向当接部に当接して、前記上部保持部材を前記保持位置から前記保持解除位置へと移動させるように前記駆動モータの動力を伝達することを特徴とする請求項１乃至３の何れか１の請求項に記載の遊技機。
【請求項５】
前記役物連動部材と前記固定ベースとに両端部を固定されて、前記役物連動部材の回動に伴って捻り弾性変形して、前記駆動モータによる前記可動役物の持ち上げ動作を補助するトーションバネを備えたことを特徴とする請求項１乃至４の何れか１の請求項に記載の遊技機。
【請求項６】
前記可動役物より短いストロークで上端位置と下端位置との間で上下に直動するように支持された第１サブ可動役物を備え、
前記可動役物が前記第１位置に位置したときに前記第１サブ可動役物が前記可動役物に下方から支持されて前記上端位置に配置され、前記可動役物が前記第１位置から前記第２位置に移動する途中で前記第１サブ可動役物が前記下端位置に停止するように構成されたことを特徴とする請求項１乃至５の何れか１の請求項に記載の遊技機。
【請求項７】
前記第１サブ可動役物より短いストロークで上端位置と下端位置との間で上下に直動するように支持された第２サブ可動役物を備え、
前記可動役物が前記第１位置に位置したときに前記第２サブ可動役物が前記可動役物に下方から支持されて前記上端位置に配置され、前記第１サブ可動役物が前記上端位置から前記下端位置に移動する途中で前記第２サブ可動役物が前記下端位置に停止するように構成されたことを特徴とする請求項６に記載の遊技機。
【発明の詳細な説明】
【技術分野】
【０００１】
本発明は、遊技の進行状況に応じて演出を行う遊技機に関する。
【背景技術】
【０００２】
従来、この種の遊技機として、可動役物を自重により落下させる演出を行うものが知られている（例えば、特許文献１参照）。
【先行技術文献】
【特許文献】
【０００３】
【特許文献１】特開２００７−００７０５７号公報（段落［００１９］、図４）
【発明の概要】
【発明が解決しようとする課題】
【０００４】
上述した従来の遊技機においては、可動役物が落下したときに反動で上方へ弾んでしまう虞があった。
【０００５】
本発明は、上記事情に鑑みてなされたもので、落下した可動役物が上方へ弾むことを規制することが可能な遊技機の提供を目的とする。
【課題を解決するための手段】
【０００６】
上記目的を達成するためになされた請求項１の発明に係る遊技機は、第１位置と第２位置との間に往復動可能に支持された可動役物を備え、遊技の進行状況に応じて可動役物の落下による演出を行う遊技機において、可動役物を第１位置に保持する上部保持手段と、可動役物を第２位置に保持する下部保持手段と、正逆の任意の方向に回転し、正転することで、上部保持手段による可動役物の保持を解除して、可動役物を第１位置から第２位置まで落下させると共に下部保持手段に可動役物を保持させる一方、逆転することで、下部保持手段による可動役物の保持を解除して、可動役物を第２位置から第１位置まで持ち上げると共に上部保持手段に可動役物を保持させる駆動モータとを備えると共に、遊技機に固定された固定ベースと、固定ベースに対し、可動役物を第１位置と第２位置との間で直動するように支持する直動支持部材と、固定ベースに回転可能に支持され、可動役物の第１位置と第２位置との間の直動に連動して第１回動位置と第２回動位置との間を回転する役物連動部材と、駆動モータを正転させることで第１駆動位置から第２駆動位置へと移動し、駆動モータを逆転させることで第２駆動位置から第１駆動位置へと移動する少なくとも１つのモータ連動部材と、モータ連動部材に設けられ、そのモータ連動部材が第２駆動位置寄りの位置から第１駆動位置寄りの位置まで移動する間に、役物連動部材を第２回動位置から第１回動位置まで押圧移動する持上動力伝達部とを備え、モータ連動部材が第１駆動位置寄りの位置から第１駆動位置まで移動する間に上部保持手段が駆動モータの動力を受けて、第１位置まで持ち上げられた可動役物を第１位置に保持する一方、モータ連動部材が第２駆動位置寄りの位置から第２駆動位置まで回動する間に下部保持手段が駆動モータの動力を受けて可動役物を第２位置に保持するように構成したところに特徴を有する。
【０００７】
請求項２の発明は、請求項１に記載の遊技機において、モータ連動部材には、そのモータ連動部材が第２駆動位置寄りの位置から第１駆動位置寄りの位置まで移動する間に、役物連動部材の第１部位に第１の回動方向から当接して役物連動部材を第２回動位置から第１回動位置まで押圧移動する持上動力伝達部と、モータ連動部材が第２駆動位置寄りの位置から第２駆動位置に向かう間に、第２回動位置に位置する役物連動部材の第２部位に対し、第１の回動方向とは逆の第２の回動方向から当接して役物連動部材を第２回動位置に保持する下部規制動力伝達部とが備えられ、下部規制動力伝達部とモータ連動部材とから下部保持手段が構成されたところに特徴を有する。
【０００８】
請求項３の発明は、請求項２に記載の遊技機において、役物連動部材と可動役物とは、何れか一方に設けられた長孔と他方に設けられかつ長孔に係合したピンとで連動可能に連結され、可動役物が第２位置の手前で落下が止まった場合に、下部規制動力伝達部で役物連動部材の第２部位を押圧して可動役物を第２位置まで移動するところに特徴を有する。
【０００９】
請求項４の発明は、請求項１乃至３の何れか１の請求項に記載の遊技機において、第１回動位置の役物連動部材又は第１位置の可動役物の何れかに係合して可動役物を第１位置に保持する保持位置とその保持を解除する保持解除位置との間で往復動可能となるように固定ベースに支持された上部保持部材を含んだ上部保持機構と、モータ連動部材と上部保持機構の一部品との一方に設けられた当接突部及び他方に設けられて当接突部を挟んで対向した第１及び第２の対向当接部と、第１及び第２の対向当接部と当接突部との間に設けられた遊びスペースとを備え、モータ連動部材が第１駆動位置寄りの位置から第１駆動位置に向かう途中で互いに当接突部と第１の対向当接部とが当接して、上部保持部材を保持解除位置から保持位置へと移動させるように駆動モータの動力を伝達する一方、モータ連動部材が第１駆動位置から第１駆動位置寄りの位置に向かうときに、当接突部が第１の対向当接部から離間して遊びスペースを移動し、第１駆動位置寄りの位置で、当接突部が第２の対向当接部に当接して、上部保持部材を保持位置から保持解除位置へと移動させるように駆動モータの動力を伝達するところに特徴を有する。
【００１０】
請求項５の発明は、請求項１乃至４の何れか１の請求項に記載の遊技機において、役物連動部材と固定ベースとに両端部を固定されて、役物連動部材の回動に伴って捻り弾性変形して、駆動モータによる可動役物の持ち上げ動作を補助するトーションバネを備えたところに特徴を有する。
【００１１】
請求項６の発明は、請求項１乃至５の何れか１の請求項に記載の遊技機において、可動役物より短いストロークで上端位置と下端位置との間で上下に直動するように支持された第１サブ可動役物を備え、可動役物が第１位置に位置したときに第１サブ可動役物が可動役物に下方から支持されて上端位置に配置され、可動役物が第１位置から第２位置に移動する途中で第１サブ可動役物が下端位置に停止するように構成されたところに特徴を有する。
【００１２】
請求項７の発明は、請求項６に記載の遊技機において、第１サブ可動役物より短いストロークで上端位置と下端位置との間で上下に直動するように支持された第２サブ可動役物を備え、可動役物が第１位置に位置したときに第２サブ可動役物が可動役物に下方から支持されて上端位置に配置され、第１サブ可動役物が上端位置から下端位置に移動する途中で第２サブ可動役物が下端位置に停止するように構成されたところに特徴を有する。
【発明の効果】
【００１３】
［請求項１の発明］
請求項１の遊技機によれば、第２位置まで落下した可動役物を下部保持手段が第２位置に保持するので、落下した可動役物が上方に弾むことを規制することが可能となる。さらに、この下部保持手段による可動役物の保持の解除は、可動役物を持ち上げる駆動モータにより行うので、新たな駆動源を設けずに下部保持手段による可動役物の保持を解除することが可能となる。
【００１４】
さらに、可動役物を第１位置に保持する上部保持手段や、可動役物を第２位置に保持する下部保持手段は、第１位置又は第２位置に到達した可動役物を駆動モータの動力を受けて保持する構成となっているので、新たな駆動源を設けずに可動役物を第１位置及び第２位置に保持することが可能となる。
【００１５】
［請求項２の発明］
下部保持手段は、可動役物を第２位置に保持するために、例えば、可動役物に備えた係合部と係合する構成であってもよいし、請求項２の発明のように、可動役物と連動する役物連動部材を第２回動位置に保持する構成であってもよい。
【００１６】
［請求項３の発明］
請求項３の遊技機によれば、可動役物が第２位置の手前で落下が止まってしまった場合であっても、下部規制動力伝達部が役物連動部材の第２部位を押圧することにより、可動役物を第２位置まで移動させることが可能となる。
【００１７】
［請求項４の発明］
請求項４の構成によれば、可動役物を落下させるためにモータ連動部材を第１駆動位置から第１駆動位置寄りの位置へ移動させる際、上部保持部材が保持位置から保持解除位置へ移動する前に、当接突部が第１の対向当接部から離間して第２の対向当接部に当接するまでの間の遊びがあり、その間にモータ連動部材の持上動力伝達部が役物連動部材から離れた位置に移動するので、可動役物の落下が持上動力伝達部により妨げられることを防ぐことが可能となる。
【００１８】
［請求項５の発明］
請求項５の発明によれば、可動役物が第１位置から第２位置まで落下する過程で弾性変形して、駆動モータによる可動役物の持ち上げ動作を補助するトーションバネを備えたので、駆動モータの負荷を低減することが可能となる。
【００１９】
［請求項６，７の発明］
請求項６の発明では、可動役物より短いストロークで上端位置と下端位置との間で上下に直動するように支持された第１サブ可動役物を、可動役物が第１位置に位置するときに、可動役物が下方から支える構成となっている。これにより、可動役物が落下する際に、第１サブ可動役物も移動している間は、可動役物に第１サブ可動役物の自重がかかるため可動役物の落下の勢いが強くなり、第１サブ可動役物が下端位置で停止した後は、落下の勢いが弱くなる。つまり、本発明によれば、可動役物を勢いよく落下させつつも、可動役物が第２位置に到達する際にはその落下の勢いを弱めておくことが可能となるので、可動役物が落下の反動により上方へ弾むことをより防ぐことが可能となる。請求項７の発明では、第１サブ可動役物に加えて第２サブ可動役物も備えているので上述した効果がより顕著なものとなる。
【図面の簡単な説明】
【００２０】
【図１】本発明の第１実施形態に係るパチンコ遊技機の正面図
【図２】可動役物が第１位置にあるときの遊技板の正面図
【図３】可動役物が第２位置にあるときの遊技板の正面図
【図４】可動役物が第１位置にあるときの固定ベースの正面図
【図５】（Ａ）可動役物と固定ベースとの平断面図、（Ｂ）可動役物と固定ベースとの側断面図
【図６】可動役物が第２位置にあるときの固定ベースの正面図
【図７】可動役物が第１位置にあるときの駆動ギアとその周辺部分の拡大正面図
【図８】駆動ギアが第１駆動位置にあるときの固定ベースの正面図
【図９】可動役物が第２位置にあるときの駆動ギアとその周辺部分の拡大正面図
【図１０】アーム部材が第２回動位置寄り位置にあるときの固定ベースの正面図
【図１１】（Ａ）アーム部材が第２回動位置寄り位置にあるときの駆動ギアとその周辺部分の拡大正面図、（Ｂ）可動役物が第２位置にあるときの駆動ギアとその周辺部分の拡大正面図
【図１２】第１回動ピンがアーム部材を持ち上げるときの固定ベースの正面図
【図１３】（Ａ）スライダーが第１直動位置にあるときの上部保持部材とスライダーとの背面図、（Ｂ）スライダーが第１直動位置にあるときの上部保持部材とスライダーとの平断面図、（Ｃ）スライダーが第１直動位置にあるときの上部保持部材とスライダーとの側断面図
【図１４】可動役物が第１位置にあるときの固定ベースの背面図
【図１５】第２回動ピンが第２の対向当接部に当接したときの固定ベースの背面図
【図１６】第２回動ピンが第２の対向当接部に当接したときの固定ベースの正面図
【図１７】（Ａ）上部保持部材が保持解除位置に移動したときの上部保持部材とスライダーとの背面図、（Ｂ）上部保持部材が保持解除位置に移動したときの上部保持部材とスライダーとの平断面図、（Ｃ）上部保持部材が保持解除位置に移動したときの上部保持部材とスライダーとの側断面図
【図１８】上部保持部材が保持解除位置にあるときの固定ベースの背面図
【図１９】駆動ギアが第２駆動位置にあるときの固定ベースの背面図
【図２０】（Ａ）スライダーが第２直動位置にあるときの上部保持部材とスライダーとの背面図、（Ｂ）スライダーが第２直動位置にあるときの上部保持部材とスライダーとの平断面図、（Ｃ）スライダーが第２直動位置にあるときの上部保持部材とスライダーとの側断面図
【図２１】第２回動ピンが第１の対向当接部に当接したときの固定ベースの背面図
【図２２】第２実施形態に係る遊技板の正面図
【図２３】（Ａ）第１位置にあるときの可動役物とその周辺部分の側断面図、（Ｂ）第２サブ可動役物が第２下端位置に到達したときの可動役物とその周辺部分の側断面図、（Ｃ）第１サブ可動役物が第１下端位置に到達したときの可動役物とその周辺部分の側断面図、（Ｄ）第２位置にあるときの可動役物とその周辺部分の側断面図
【図２４】変形例に係るパチンコ遊技機の可動役物周辺の正面断面図
【図２５】変形例に係るパチンコ遊技機の可動役物周辺の側面図
【図２６】変形例に係るパチンコ遊技機の可動役物周辺の側面図
【発明を実施するための形態】
【００２１】
［第１実施形態］
以下、本発明を適用したパチンコ遊技機１０（本発明の「遊技機」に相当する）に係る第１実施形態を、図１〜図２１に基づいて説明する。図１に示すように、パチンコ遊技機１０は、前面が前面枠１０Ｚにて覆われており、その前面枠１０Ｚのガラス窓１０Ｗを通して遊技板１１の遊技領域Ｒ１が視認可能になっている。この遊技領域Ｒ１内を、操作ノブ２８を回動させることにより弾き出された遊技球が流下する。
【００２２】
図２に示すように、遊技領域Ｒ１は全体が略円形状で、その中央には、遊技板表示窓１０Ｈが貫通形成されている。この遊技板表示窓１０Ｈを通して、表示装置３０の表示画面３０Ｇが前方に臨んでいる。遊技板表示窓１０Ｈの開口縁には、表示装飾枠２３が取り付けられている。表示装飾枠２３は、遊技板１１の前面側から遊技板表示窓１０Ｈに嵌め込まれ、遊技板表示窓１０Ｈの内側に張り出すと共に、遊技板１１の前面から突出している。そして、遊技領域Ｒ１を流下する遊技球が、表示装飾枠２３の内側に進入しないように構成されている。この表示装飾枠２３の上辺部と表示画面３０Ｇの上辺部との間には、本発明の可動役物３３を有する固定ベース４０が備えられている。
【００２３】
遊技領域Ｒ１のうち表示装飾枠２３の周囲には、第１及び第２の始動入賞口１４Ａ，１４Ｂ、大入賞口１５が備えられていてる。そして、第１及び第２の始動入賞口１４Ａ，１４Ｂに遊技球が入賞すると、特別図柄の当否判定が行われ、その結果が当りであれば大入賞口１５が開放状態となる「大当り遊技」が実行され、結果が外れであれば大入賞口１５が閉じたままとなる。
【００２４】
特別図柄の当否判定の結果は表示画面３０Ｇに表示される。当否判定結果が当りのときは、当りであることを示す表示（例えば、３つの数字がゾロ目で並んだ表示。以下、適宜「当り表示」という）が行われ、当否結果が外れのときには、外れであることを示す表示（例えば、３つの数字がばらばらの数となった表示）が行われる。また、表示画面３０Ｇに当り表示が行われるときには、可動役物３３による演出が行われる。次に、この可動役物３３について説明する。
【００２５】
可動役物３３は固定ベース４０に上下動可能に取り付けられていて、図２及び図４に示す第１位置から図３及び図６に示す第２位置まで落下することで遊技を盛り上げる。
【００２６】
図４に示す固定ベース４０は、横長矩形の平板形状をなして図示しない後方基板に固定されている。固定ベース４０における左右方向の中央部には、上下方向に延びたベースレール４０Ｂが備えられている。図５（Ａ）に示すように、このベースレール４０Ｂには、可動役物３３の左右方向の中央部に備えられて上下方向に延びた役物レール３３Ｂがボール３５Ｂを介して係合している。これらのレール３３Ｂ，４０Ｂ及びボール３５Ｂが本発明に係る直動支持部材４１をなし、この直動支持部材４１によって可動役物３３が固定ベース４０に対して上下方向に直動可能に支持されている。
【００２７】
図５（Ｂ）に示すように、ベースレール４０Ｂの下端には前方に向けて突出した固定側ストッパ４０Ｃが備えられ、役物レール３３Ｂの上端には後方に突出した可動側ストッパ３３Ｃが備えられている。そして、落下した可動役物３３の可動側ストッパ３３Ｃが固定ベース４０の固定側ストッパ４０Ｃに当接することで可動役物３３が第２位置に位置決めされる。
【００２８】
また、図４に示すように、固定ベース４０には、可動役物３３の直動と連動するアーム部材３６（本発明の「役物連動部材」に相当する）が備えられている。アーム部材３６は、固定ベース４０の左端寄り位置に備えた回動軸３６Ｊを中心に回動可能に支持されていて、可動役物３３が第１位置にある「待機状態」では図４に示す第１回動位置に配され、可動役物３３が第２位置にある「落下状態」では図６に示す第２回動位置に配される。
【００２９】
図４に示すように、アーム部材３６は、回動軸３６Ｊから右斜め上方へ延びてから屈曲し、水平に延びている。以降、アーム部材３６のうち回動軸３６Ｊから屈曲部まで斜めに延びた部分を第１アーム部３６Ｍといい、屈曲部から水平に延びた部分を第２アーム部３６Ｎという。第２アーム部３６Ｎには先端部に水平方向に延びた長孔３６Ａが形成されていて、この長孔３６Ａに可動役物３３の後面から突出したピン３３Ａが係合している。
【００３０】
図４に示すように、アーム部材３６には、第１アーム部３６Ｍと第２アーム部３６Ｎとの間の屈曲部の内側から左斜め下方に突出し、第１アーム部３６Ｍに下方から対向した対向係止片３６Ｃが形成されている。図７に示すように、対向係止片３６Ｃは第１アーム部３６Ｍの長手方向の中央部付近まで延び、第１アーム部３６Ｍの下面３６Ｋ（本発明の「第１部位」に相当する）と対向するアーム対向面３６Ｔと、回動軸３６Ｊ側を向いた先端面３６Ｗと、アーム対向面３６Ｔと先端面３６Ｗとの間で湾曲した係止湾曲面３６Ｕ（本発明の「第２部位」に相当する）とを備えている。
【００３１】
図４に示すように、アーム部材３６の後方には、アーム部材３６を回動させるための駆動ギア５０（本発明の「モータ連動部材」に相当する）が固定ベース４０に軸支されている。駆動ギア５０の回動軸５０Ｊはアーム部材３６の回動軸３６Ｊの右方に位置していて、駆動ギア５０は図８に示す第１駆動位置と図６に示す第２駆動位置との間を回転駆動される。また、駆動ギア５０は、第１駆動位置側から第２駆動位置側へ移動するときは図４における反時計回りに回転し、第２駆動位置側から第１駆動位置側へ移動するときは図４における時計回りに回転する。以降、適宜、駆動ギア５０が図４における反時計回りに回転することを「正転」といい、図４における時計回りに回転することを「逆転」という。
【００３２】
駆動ギア５０の前面には、アーム部材３６を作動させるための第１回動ピン５０Ａ（本発明の「持上動力伝達部」及び「下部規制動力伝達部」に相当する）が突出している。第１回動ピン５０Ａは駆動ギア５０のうち回動軸５０Ｊの左側に配されていて、駆動ギア５０が正転（反時計回りに回転）すると、第１回動ピン５０Ａは上方から下方へ移動する。図６に示すように、第１回動ピン５０Ａが第２駆動位置に差し掛かる際にアーム部材３６が第２回動位置まで落下していると、アーム部材３６における第１アーム部３６Ｍと対向係止片３６Ｃとの間の受容凹部３６Ｅに第１回動ピン５０Ａが半分程受容され、第１回動ピン５０Ａが係止湾曲面３６Ｕにおけるアーム対向面３６Ｔ寄り位置の上方に配される（図９参照）。これにより、アーム部材３６が外部から力を受けて上方に回動することを規制して、可動役物３３を第２位置に係止する。なお、この第１回動ピン５０Ａと駆動ギア５０とから本発明の「下部保持手段」が構成されている。
【００３３】
また、図１０に示すように、仮にアーム部材３６の落下が第２回動位置の手前で止まったとしても、アーム部材３６が第１回動ピン５０Ａによって第２回動位置まで押し下げられてから、可動役物３３が第２位置に係止される。詳細には、図１１（Ａ）に示すように、第１回動ピン５０Ａが対向係止片３６Ｃの係止湾曲面３６Ｕのうち先端面３６Ｗ寄り位置に当接する。ここで、係止湾曲面３６Ｕにおける第１回動ピン５０Ａとの当接部分の接線Ｌが第１回動ピン５０Ａから受ける力Ｆの方向に対して斜めに傾斜しているため、駆動ギア５０がそのまま反時計回りに回転すると、係止湾曲面３６Ｕにおける第１回動ピン５０Ａとの当接位置が上方へ、つまり、アーム対向面３６Ｔ側へ移動していく（図１１（Ｂ）参照）。即ち、アーム部材３６は第１回動ピン５０Ａに摺接しながら下方へ移動する。これにより、アーム部材３６は第２回動位置まで押し下げられて、可動役物３３が第２位置に到達する（図６参照）。そして、第２位置に到達した可動役物３３は上述したように第２位置に係止される。
【００３４】
一方、駆動ギア５０が逆転（時計回りに回転）すると、第１回動ピン５０Ａは下方から上方へ移動する。すると、図１２に示すように、第１回動ピン５０Ａはアーム部材３６における第１アーム部３６Ｍの下面３６Ｋを押し上げ、アーム部材３６を上方へ持ち上げていく。そして第１回動ピン５０Ａが第１駆動位置寄りの位置まで移動すると、可動役物３３が第１位置に到達する（図４参照）。
【００３５】
さらに駆動ギア５０が時計回りに回転すると、第１回動ピン５０Ａは受容凹部３６Ｅ内を奥側に進んで図８に示す第１駆動位置に到達し、その後駆動ギア５０の回転駆動が停止される。このとき、可動役物３３及びアーム部材３６は第１位置及び第１回動位置の僅か上方のオーバーストローク位置まで持ち上げられた後、後述する上部保持部材４２により第１位置及び第１回動位置に保持される（図４参照）。
【００３６】
図４に示すように、固定ベース４０における右端部には駆動ギア５０を回転駆動するための駆動モータ３４が備えられている。駆動モータ３４と駆動ギア５０とは第１中継ギア４８Ａ、第２中継ギア４８Ｂを介して連結されていて、駆動モータ３４が図４における時計回りに回転すると駆動ギア５０が正転し、駆動モータ３４が図４における反時計回りに回転すると駆動ギア５０が逆転する。
【００３７】
また、固定ベース４０の右下部には、駆動モータ３４の持ち上げ動作を補助するためのトーションバネ３７（本発明の「アシスト弾性部材」に相当する）が備えられている。詳細には、トーションバネ３７はアーム部材３６の回動軸３６Ｊを囲む位置に配されていて、２つのバネ椀３７Ａ、３７Ｂのうち一方の第１バネ椀３７Ａが固定ベース４０に形成されたバネストッパ４０Ｓに当接し、他方の第２バネ椀３７Ｂがアーム部材３６における第１アーム部３６Ｍに当接している。これにより、トーションバネ３７はアーム部材３６を上方に付勢し、可動役物３３が第２位置へ落下するときにアーム部材３６の回動に伴って捻り弾性変形する。
【００３８】
上述したように、持ち上げられた可動役物３３及びアーム部材３６は上部保持部材４２により第１位置及び第１回動位置に保持される。図４に示すように、上部保持部材４２は、固定ベース４０のうち駆動ギア５０の右上に配されている。また、図１３（Ａ）及び図１３（Ｃ）に示すように、上部保持部材４２は、横向きの円柱における後方側部を側方へ延ばした形状の上部部材４２Ｄと、上部部材４２Ｄの後端から下方へ延びた支持部材４２Ｃと、支持部材４２Ｃの下端から前方及び下方へ大きく張り出したブロック体４２Ｂとを備えていて、上部部材４２Ｄを貫通した回動軸４２Ｊにより、前後方向に揺動可能に支持されている。
【００３９】
上部保持部材４２のうちブロック体４２Ｂの上面はアーム部材３６を第１回動位置に保持するアーム受面４２Ａとなっている。詳細には、図１３（Ｃ）に示すように、アーム受面４２Ａは、回動軸４２Ｊよりも前方まで延びていて、図４に示すように、第１回動位置に配されたアーム部材３６における第２アーム部３６Ｎの左端部を下方から支持している。
【００４０】
上部保持部材４２は、アーム受面４２Ａが水平になりアーム部材３６を支持可能な「保持位置」（図１３参照）とアーム受面４２Ａが前下がりになる「保持解除位置」（図１７及び図２０参照）とに、スライダー４４により切替可能となっている。
【００４１】
図１３（Ａ）に示すように、スライダー４４は左右方向に延びたレール部４４Ｃと、その右部の下方に形成された長方形の枠状のトリガー４４Ｔとを備えてなり、固定ベース４０に左右方向に直動可能に配置されている（図１４参照）。なお、スライダー４４の可動範囲は、固定ベース４０の後面に形成されたトリガー受容部４０Ｇにより定められている（図１４及び図１９参照）。なお、トリガー４４Ｔ内のスペースが本発明の「遊びスペース」に相当する。
【００４２】
図１３（Ｂ）に示すように、スライダー４４には、中央部にレール部４４Ｃと対向して上部保持部材４２の支持部材４２Ｃを前後方向から挟持するための係止突起４４Ａが備えられている。詳細には、係止突起４４Ａは、レール部４４Ｃから左後方に張り出していて、レール部４４Ｃの後面と対向した挟持対向面４４Ｅと、挟持対向面４４Ｅの左端から左斜め後方に延びた傾斜面４４Ｆとを備えている。
【００４３】
待機状態では、図１３（Ｃ）に示すようにスライダー４４がレール部４４Ｃと係止突起４４Ａとにより上部保持部材４２の支持部材４２Ｃを前後方向から挟持することで、上部保持部材４２が保持位置に係止されている。
【００４４】
また、図１３（Ｂ）に示すように、スライダー４４の左端部には、レール部４４Ｃの後面から突出して上部保持部材４２を後方に押し込むための解除突片４４Ｂが備えられている。なお、解除突片４４Ｂの右端部には、左斜め後方に延びた傾斜面４４Ｇが形成されている。
【００４５】
スライダー４４は、上述した駆動ギア５０の後面から突出した第２回動ピン５０Ｂから動力を受けて直動する。図１４に示すように、第２回動ピン５０Ｂは駆動ギア５０のうち回動軸５０Ｊの上側に配され、スライダー４４のトリガー４４Ｔ内に受容されている。なお、本実施形態では、スライダー４４、上部保持部材４２及び第２回動ピン５０Ｂが本発明の「上部保持手段」に相当し、スライダー４４及び上部保持部材４２が本発明の「上部保持機構」に相当し、スライダー４４が本発明の「上部保持機構の一部品」に相当し、第２回動ピン５０Ｂが本発明の「当接突部」に相当する。
【００４６】
次に、第２回動ピン５０Ｂ及びスライダー４４の動きを中心に可動役物３３の落下による演出の流れを説明する。図１４に示す待機状態では、スライダー４４は可動範囲の左端である「第１直動位置」に位置し、第２回動ピン５０Ｂはこのスライダー４４のトリガー４４Ｔ内の左端部に位置している。そして、駆動ギア５０が正転（図１４における時計回りに回転）すると、第２回動ピン５０Ｂはトリガー４４Ｔ内を左方から右方へ移動して、図１５に示すようにトリガー４４Ｔの右辺である本発明に係る第２の対向当接部４４Ｗに当接する。この間に、アーム部材３６が上部保持部材４２により第１位置に保持された状態のまま、第１回動ピン５０Ａはアーム部材３６から下方に離れた位置まで移動している（図１６参照）。
【００４７】
さらに駆動ギア５０が図１５における時計回りに回転すると、トリガー４４Ｔの第２の対向当接部４４Ｗが第２回動ピン５０Ｂにより押圧されて、スライダー４４が右方への移動を開始する。すると、図１７に示すようにスライダー４４の係止突起４４Ａが上部保持部材４２から外れて、上部保持部材４２がアーム部材３６の自重により後方へ回動して保持解除位置に移動する。これにより、アーム部材３６の保持が解除されて、アーム部材３６が下方へ落下する（図１８参照）。このとき、上述したように第１回動ピン５０Ａが予め下方に移動してアーム部材３６から下方に離れているので、アーム部材３６の自重による落下が第１回動ピン５０Ａにより妨げられない（図１６参照）。
【００４８】
落下するアーム部材３６は、駆動ギア５０の回転スピードよりも早く移動し、第１回動ピン５０Ａが第２駆動位置に到達するよりも前に、第２回動位置に到達する。そして、第１回動ピン５０Ａが第２駆動位置に到達し、アーム部材３６における対向係止片３６Ｃの上方に−位置することで、可動役物３３が第２位置に係止される（図６参照）。
【００４９】
なお、このとき図２０に示すように、スライダー４４における解除突片４４Ｂが上部保持部材４２を後方に押し込み、アーム受面４２Ａを前下がりに傾斜させている。これにより、仮に係止突起４４Ａによる係止が解除されたとき（スライダー４４が図１７の位置に達したとき）に上部保持部材４２が他の部品に引っかかり、保持解除位置に移動しなかったときでも、強制的に上部保持部材４２を保持解除位置に移動させることができる。また、解除突片４４Ｂの右端部が傾斜面４４Ｇになっているので、スムーズに上部保持部材４２における支持部材４２Ｃの前方へ入り込むことができる。
【００５０】
駆動ギア５０が逆転（図１９における反時計回りに回転）すると、第２回動ピン５０Ｂは、第２直動位置に配されたスライダー４４のトリガー４４Ｔ内を右方から左方へ移動して、図２１に示すようにトリガー４４Ｔの左辺である本発明に係る第１の対向当接部４４Ｖに当接する。この間に、上述したように第１回動ピン５０Ａはアーム部材３６を途中まで持ち上げている。
【００５１】
さらに駆動ギア５０が図２１における反時計回りに回転すると、トリガー４４Ｔの第１の対向当接部４４Ｖが第２回動ピン５０Ｂにより押圧されて、スライダー４４が左方への移動を開始する。そして、第２回動ピン５０Ｂが第２駆動位置寄りの位置まで移動すると、第１回動ピン５０Ａがアーム部材３６を第１回動位置まで持ち上げる（図４参照）。その後第２回動ピン５０Ｂが第２駆動位置に到達すると、図８に示すようにアーム部材３６がオーバーストローク位置まで持ち上げられるとともに、スライダー４４が第１直動位置に到達して上部保持部材４２が保持位置に係止される。そして、駆動ギア５０の駆動が停止されてアーム部材３６が下方に移動し、上部保持部材４２のアーム受面４２Ａ上に支持される。これにより可動役物３３が第１位置に保持された待機状態に戻る。
【００５２】
このとき、図８に示すように、第２回動ピン５０Ｂが第１直動位置に到達する際に、アーム部材３６が保持位置での上部保持部材４２のアーム受面４２Ａよりも上方のオーバーストローク位置に配されるため、上部保持部材４２が係止突起４４Ａにより前方へ押し出される際にアーム部材３６と干渉しにくくなっている。また、係止突起４４Ａの左端部が傾斜面４４Ｆとなっているため、上部保持部材４２をスムーズに前方へ押し出すことができる。
【００５３】
本実施形態の構成は以上である。次に、本実施形態の作用効果について説明する。本実施形態のパチンコ遊技機１０では、通常の遊技状態においては可動役物３３が表示画面３０Ｇの上方の第１位置に配されている（図２参照）。そして、特別図柄当否判定の結果が当りとなり表示画面３０Ｇに当たり表示が行われると、可動役物３３が第２位置まで落下して表示画面３０Ｇの前方に重なった状態となる（図３参照）。ここで、可動役物３３は、通常時は上部保持部材４２により下方から支持されていて、演出時にこの上部保持部材４２が外れることで自重により一気に落下する。このように、本実施形態では、可動役物３３の急峻な動作により、遊技を盛り上げることができる。
【００５４】
また、可動役物３３が落下したときには、第１回動ピン５０Ａにより可動役物３３が第２位置に保持されるので、可動役物３３が落下の反動により上方に弾むことを防ぐことができる。これにより、可動役物３３が急峻に落下するにもかかわらず、落下後にぴたりと止まるメリハリの効いた演出を行うことができる。また、仮に可動役物３３の落下が第２位置の手前で止まってしまったときでも、第１回動ピン５０Ａにより可動役物３３を第２位置まで押し下げることができる。
【００５５】
表示画面３０Ｇでの当たり表示が終了すると、駆動モータ３４が逆転して可動役物３３を上方へ押し上げる。このとき弾性変形したトーションバネ３７が駆動モータ３４を補助するので、可動役物３３をスムーズに上方へ移動させることができる。そして可動役物３３が第１位置まで持ち上げられると、上部保持部材４２が駆動モータ３４の動力により保持位置に移動して可動役物３３を支持する待機状態に戻る。このように、可動役物３３の第１位置への保持を上部保持部材４２により行っているので、待機状態において駆動モータ３４の駆動を停止しておくことが可能となる。これらトーションバネ３７による補助や上部保持部材４２による保持により、駆動モータ３４の負荷を低減することが可能となり、駆動モータ３４の小型化を図ることができる。
【００５６】
ここで、駆動モータ３４を補助するためにトーションバネ３７を設けているため、可動役物３３が落下したときに上方へ弾みやすくなる虞があるが、本実施形態のパチンコ遊技機１０では、上述したように第１回動ピン５０Ａにより可動役物３３の跳ね上がりを抑えるため、そのような事態を防ぐことが可能となる。
【００５７】
［第２実施形態］
本発明に係る第２実施形態について説明する。上記第１実施形態では演出時に落下する役物が可動役物３３のみであったが、本実施形態では、図２２に示すように、可動役物３３とともに第１サブ可動役物３３Ｘと第２サブ可動役物３３Ｙとが落下する構成となっている。
【００５８】
図２３（Ａ）には、待機状態での可動役物３３周辺部分の側断面図が示されている。本実施形態に係る可動役物３３は上方に向かって開放した断面略「コ」の字状をなし、その内側に第１サブ可動役物３３Ｘと第２サブ可動役物３３Ｙとが収納されている。また、待機状態では、第１サブ可動役物３３Ｘ及び第２サブ可動役物３３Ｙは可動役物３３の前板３３Ｍに前方から覆われて、視認困難となっている。
【００５９】
第１サブ可動役物３３Ｘは、可動役物３３の第１位置と略同位置の「第１上端位置」（図２３（Ａ）参照）から、可動役物３３の第２位置（図２３（Ｄ）参照）より上方の「第１下端位置」（図２３（Ｃ）参照）まで直動可能となっている。また、第２サブ可動役物３３Ｙは、第１位置及び第１上端位置と略同位置の「第２上端位置」（図２３（Ａ）参照）から、第１下端位置（図２３（Ｃ）参照）より上方の「第２下端位置」（図２３（Ｂ）参照）まで直動可能となっている。
【００６０】
本実施形態の構成は以上である。次に、本実施形態の作用効果について説明する。本実施形態のパチンコ遊技機１０では、上記第１実施形態と同様に、表示画面３０Ｇに当たり表示が行われると可動役物３３の落下による演出が行われる。
【００６１】
図２３（Ａ）に示す待機状態から上部保持部材４２（図１３）による保持が解除されると、内部に第１サブ可動役物３３Ｘと第２サブ可動役物３３Ｙとを受容したまま可動役物３３が落下を開始する。可動役物３３が図２３（Ｂ）に示す位置まで落下すると、第２サブ可動役物３３Ｙは第２下端位置に到達して落下を停止する。そして、第２サブ可動役物３３Ｙが第２下端位置に停止したまま、第１サブ可動役物３３Ｘと可動役物３３とがさらに下方に落下する。
【００６２】
その後、可動役物３３が図２３（Ｃ）に示す位置まで落下すると、第１サブ可動役物３３Ｘは第１下端位置に到達して落下を停止する。可動役物３３はさらに下方に落下して、第２位置に到達して停止する。
【００６３】
このように本実施形態の遊技機では、可動役物３３の落下の途中で、待機状態において可動役物３３の内部に隠れていた第１サブ可動役物３３Ｘ及び第２サブ可動役物３３Ｙが順に停止して視認可能な状態となっていくため、遊技者の意表を突いた演出を行うことが可能である。
【００６４】
また、落下の開始時には第１サブ可動役物３３Ｘと第２サブ可動役物３３Ｙとの自重が可動役物３３にかかっているため、これらの役物３３，３３Ｘ，３３Ｙを勢いよく落下させることが可能となる。さらに、第２サブ可動役物３３Ｙ及び第１サブ可動役物３３Ｘが途中で停止することで可動役物３３にかかる自重が減少するため、可動役物３３が第２位置に到達する際に落下の勢いが弱くなり、落下の反動で上方へ弾むことをより防ぐことが可能となる。
【００６５】
ここで、第２位置に到達する手前で可動役物３３の落下の勢いが弱まることにより、可動役物３３が第２位置の手前で止まってしまう虞があるが、本実施形態では、第１実施形態のパチンコ遊技機１０と同様に、第１回動ピン５０Ａにより可動役物３３を押し下げ可能になっているので、可動役物３３を第２位置まで到達させることができる。
【００６６】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００６７】
（１）上記実施形態では、パチンコ遊技機１０に本発明を適用していたが、遊技機であれば、コイン遊技機やスロットマシン等に適用してもよい。
【００６８】
（２）上記実施形態では、可動役物３３が上下方向に直動する構成であったが、例えば、アーム部材３６の先端に固定されてアーム部材３６の回動と共に回動する構成であってもよい。
【００６９】
（３）上記実施形態では、可動役物３３の直動と連動するアーム部材３６を備え、可動役物３３を動かすためにアーム部材３６を動作させる構成であったが、例えば、図２４及び図２５に示すように、アーム部材３６を備えずに可動役物３３の後面に係合部３３Ｋを備え、その係合部３３Ｋによって可動役物３３を動作させる構成であってもよい
【００７０】
（４）上記実施形態では、本発明に係る「持上動力伝達部」と「下部規制動力伝達部」とが第１回動ピン５０Ａにより併用される構成であったが、それぞれ別部品が担う構成であってもよい。
【００７１】
（５）上記実施形態では、可動役物３３を第２位置に保持するために、第１回動ピン５０Ａが駆動モータ３４により駆動される構成であったが、図２６に示すように、可動役物３３又はアーム部材３６を弾性変形して受け止める弾性片４０Ｋを備える構成であってもよい。この構成によれば、可動役物３３を第２位置に保持するために駆動モータ３４の動力を要しなくすることができる。なお、この場合、駆動ギア５０が逆転するときに弾性片４０Ｋの係止が外れるように構成することが望ましい。
【符号の説明】
【００７２】
１０    パチンコ遊技機
３３    可動役物
３３Ｘ    第１サブ可動役物
３３Ｙ    第２サブ可動役物
３４    駆動モータ
３６    アーム部材（役物連動部材）
３７    トーションバネ
４０    固定ベース
４１    直動支持部材
４２    上部保持部材
４４    スライダー
４４Ｖ    第１の対向当接部
４４Ｗ    第２の対向当接部
５０    駆動ギア（モータ連動部材）
５０Ａ    第１回動ピン（持上動力伝達部、下部規制動力伝達部）
５０Ｂ    第２回動ピン（当接突部）
【図１】
0005994204.tif 000002
【図２】
0005994204.tif 000003
【図３】
0005994204.tif 000004
【図４】
0005994204.tif 000005
【図５】
0005994204.tif 000006
【図６】
0005994204.tif 000007
【図７】
0005994204.tif 000008
【図８】
0005994204.tif 000009
【図９】
0005994204.tif 000010
【図１０】
0005994204.tif 000011
【図１１】
0005994204.tif 000012
【図１２】
0005994204.tif 000013
【図１３】
0005994204.tif 000014
【図１４】
0005994204.tif 000015
【図１５】
0005994204.tif 000016
【図１６】
0005994204.tif 000017
【図１７】
0005994204.tif 000018
【図１８】
0005994204.tif 000019
【図１９】
0005994204.tif 000020
【図２０】
0005994204.tif 000021
【図２１】
0005994204.tif 000022
【図２２】
0005994204.tif 000023
【図２３】
0005994204.tif 000024
【図２４】
0005994204.tif 000025
【図２５】
0005994204.tif 000026
【図２６】
0005994204.tif 000027